(57)【特許請求の範囲】
【請求項１】
両端部に側壁が形成された開口部を有する建造物の、前記開口部に設置して当該開口部からの建造物内への水の浸入を防止する止水扉であって、２枚の止水パネルを具備し、前記各止水パネルは、それぞれ連結部材を介して前記側壁に連結され、
前記連結部材は第１のアーム及び第２のアームを具備し、更に、前記側壁と前記第１のアームとを連結する第１のヒンジと、前記第１のアームと前記第２のアームとを連結する第２のヒンジと、前記第２のアームと前記止水パネルとを連結する第３のヒンジとを具備し、
前記第２のヒンジは、前記第１のアームと連結する第１の羽板と、前記第２のアームと連結する第２の羽板と、前記第１の羽板と第２の羽板とを軸支する回転軸とからなり、
前記第１の羽板は、前記回転軸に対して昇降可能とされ、且つ、前記第２の羽板は、前記回転軸に対して昇降が阻止され、前記回転軸の頂部にはネジ部が螺設され、該ネジ部と螺合する螺合部を具備したハンドルを前記回転軸の頂部に配設し、該ハンドルを回転させて、前記第１の羽板に対して相対的に前記回転軸を昇降させることにより、前記止水パネルを昇降させるようにしたことを特徴とする止水扉。
【発明の詳細な説明】
【０００１】
【発明の属する技術分野】
本発明は、建造物の開口部に設置して、増水時における建造物内への浸水を防止するために使用する止水扉に関する。
【０００２】
【従来の技術】
例えば、地下鉄、或いは地下通路等の地下スペースの入り口のように、通行人が屋外から直接階段等を通って建造物内への出入りするような場所では、大雨による洪水発生時等の異常増水時には、開口部から建造物の内部へ、大量の雨水が浸入することがあり、このような場合には、地下スペース内が通行できない状態となる。
【０００３】
従って、このようなトラブルを回避するため、異常増水の発生時、或いは異常増水の発生が予測されるような場合に、事前に開口部に止水板を設置して、開口部からの地下スペース内への雨水の浸入を防止するようにしている。
【０００４】
従来においては、このような止水板の設置方法として、地下スペースの開口部の近傍に収納庫を設置し、該収納庫内に複数枚（２〜３枚）の止水板を用意しておき、異常増水となった場合には、この止水板を地下スペースの開口部に予め形成された溝部に填め合わせて設置し、雨水の浸入を防止するという方法が採用されていた。
【０００５】
ところが、このような従来の方法では、複数枚の止水板（通常は、金属製）を開口部へ運び、これを填め合わせるという作業が発生するので、この作業を行うために、少なくとも二人の人員が必要となり、且つ、作業に多くの手間がかかるので、止水板を設置するまでに長時間を要してしまうという欠点がある。
【０００６】
【発明が解決しようとする課題】
前述のように、従来における止水板の設置方法では、止水板を設置する作業に少なくとも二人の人員が必要となり、且つ、設置作業に長時間を要するという欠点があった。
【０００７】
この発明はこのような従来の課題を解決するためになされたものであり、その目的とするところは、簡単な作業で、且つ確実に建造物の開口部を止水することができる止水扉を提供することにある。
【０００８】
【課題を解決するための手段】
上記目的を達成するため、請求項1に記載の発明は、両端部に側壁が形成された開口部を有する建造物の、前記開口部に設置して当該開口部からの建造物内への水の浸入を防止する止水扉であって、２枚の止水パネルを具備し、前記各止水パネルは、それぞれ連結部材を介して前記側壁に連結され、前記連結部材は第１のアーム及び第２のアームを具備し、更に、前記側壁と前記第１のアームとを連結する第１のヒンジと、前記第１のアームと前記第２のアームとを連結する第２のヒンジと、前記第２のアームと前記止水パネルとを連結する第３のヒンジとを具備し、前記第２のヒンジは、前記第１のアームと連結する第１の羽板と、前記第２のアームと連結する第２の羽板と、前記第１の羽板と第２の羽板とを軸支する回転軸とからなり、前記第１の羽板は、前記回転軸に対して昇降可能とされ、且つ、前記第２の羽板は、前記回転軸に対して昇降が阻止され、前記回転軸の頂部にはネジ部が螺設され、該ネジ部と螺合する螺合部を具備したハンドルを前記回転軸の頂部に配設し、該ハンドルを回転させて、前記第１の羽板に対して相対的に前記回転軸を昇降させることにより、前記止水パネルを昇降させるようにしたことが特徴である。
【００１３】
上述の如く構成された本発明によれば、通常時には、２枚の止水パネルは、それぞれ開口部両端の側壁側に収納されている。そして、異常増水が発生した場合には、連結部材を広げることにより、止水パネルを取り出し、開口部の所定位置まで移動させ、該開口部の略中央部で２枚の止水パネルを連結する。この状態で、連結された止水パネルは、開口部の外側に突起する形状（アーチ形状やＶ字形状）とされ、連結された止水パネルの両端部は、側壁に形成された係止部に固定されるので、強い水圧にも耐えることができる。
【００１４】
また、連結部材を構成する第２のヒンジ部材に、ハンドルを取り付け、該ハンドルを回転させることにより、２枚の止水パネルを上昇、或いは下降させることができるので、止水パネルを床面より若干高い位置で該止水パネルを移動させ、所定の位置に達したところで止水パネルを下降させて床面に接触させることにより、極めて簡単な操作で止水パネルを所定位置に設置し、固定することができる。
【００１５】
【発明の実施の形態】
以下、本発明の実施形態を図面に基づいて説明する。図１は、本発明が適用された止水扉の一実施形態の構成を示す平面図、図２は、同正面図、図３は、図１におけるＡ−Ａ’矢視図、図４は、開口部１の内側から見た斜視図、図５は、開口部１の外側から見た斜視図であり、各図は、止水扉を使用している状態を示している。
【００１６】
図１に示す符号１は、例えば地下鉄の入り口等、地下スペースへの入り口の開口部であり、該開口部１の両端には、それぞれ側壁２ａ，２ｂが形成されている。
各側壁２ａ，２ｂには、それぞれ連結部材３ａ，３ｂが取り付けられており、該連結部材３ａ，３ｂを介して止水パネル４ａ，４ｂが連結されている。
【００１７】
止水パネル４ａ，４ｂは、それぞれ曲面状に形成されており、各止水パネル４ａ，４ｂは、開口部１の略中央で連結され、全体が開口部１の外側に突起するアーチ形状をなすように構成されている。また、側壁２ａ，２ｂの前端部には、係止溝５ａ，５ｂが形成されており、連結後の止水パネル４ａ，４ｂの両端部が該係止溝５ａ，５ｂに係止して固定されるようになっている。
側壁２ａ，２ｂには、止水パネル４ａ，４ｂを使用しないときに、該止水パネル４ａ，４ｂを収納する収納袋６ａ，６ｂが形成されている。
【００１８】
図４に示すように、連結部材３ｂは、第１のアーム７、及び、２本の第２のアーム８を具備しており、第１のアーム７は２個の第１のヒンジ９を介して側壁２ｂと連結されている。第１のアーム７と第２のアーム８は、第２のヒンジ１０を介して連結され、第２のアームと止水パネル４ｂとは、第３のヒンジ１１により連結されている。
【００１９】
更に、第２のヒンジ１０は、第１のアーム７と連結するための第１の羽板１０ａ（２箇所）と、第２のアーム８と連結するための第２の羽板１０ｂ（２箇所）、及び、各羽板１０ａ、１０ｂを軸支する回転軸１０ｃとから構成されている。
また、回転軸１０ｃの頂部には、ネジ部１０ｄが螺設されており、該ネジ部１０ｄには、雌ネジが形成されたハンドル１２が螺合されている。
【００２０】
また、第１の羽板１０ａは、回転軸１０ｃに対して昇降動（スライド移動）が可能とされており、反対に、第２の羽板１０ｂは、回転軸１０ｃに対して昇降動が阻止されている。従って、ネジ部１０ｄに螺合したハンドル１２を右回りに回転させると、第１の羽板１０ａに対して回転軸１０ｃが上昇するので、第２の羽板１０ｂ、ひいては止水パネル４ｂを上昇させることができる。反対に、ハンドル１２を左回りに回転させると、第１の羽板１０ａに対して回転軸１０ｃが下降するので、止水パネル４ｂを下降させることができる。
なお、連結部材３ａについては、連結部材３ｂと鏡像の配置構成とされているので、その構成説明を省略する。
【００２１】
図６は、側壁２ａに形成された収納袋６ａに、止水パネル４ａを収納する様子を示す平面図であり、図示のように、３つのヒンジ９，１０，１１を回転させて連結部材３ａを折り畳むことにより、止水パネル４ａを収納袋６ａ内に収納することができる。収納された止水パネル４ａ（４ｂ）は、収納袋６ａ（６ｂ）の適所に設置された止水パネル４ａ（４ｂ）を着脱可能に固定する固定金具（図示省略）により固定される。
【００２２】
また、図１，図２に示すように、２枚の止水パネル４ａ，４ｂの連結部分、係止溝５ａ，５ｂの止水パネル４ａ，４ｂとの接触面、及び開口部１の床面と止水パネル４ａ，４ｂとの接触面には、それぞれ、ゴム、パッキン等の水密性部材１４が介置されており、これらの接触部からの雨水の漏れを防止している。
【００２３】
次に、前述のように構成された本実施形態の作用について説明する。通常時（増水していないとき）には、連結部材３ａ，３ｂを折り畳むことにより、図６に示すように、止水パネル４ａ（４ｂ）を、側壁２ａ（２ｂ）に形成された収納袋６ａ（６ｂ）の内部に収納することができるので、通行人の邪魔になることはなく、また、見栄えも良い。
【００２４】
また、異常増水が発生した場合、或いは異常増水の発生が予測される場合には、作業者はまず、収納袋６ａ，６ｂから止水パネル４ａ，４ｂを取り出す。このとき、止水パネル４ａ，４ｂの下辺部は、開口部１の床面よりも若干上側となるように設定されているので、無理なく取り出すことができる。
【００２５】
その後、連結部材３ａ，３ｂを広げることにより、止水パネル４ａ，４ｂを開口部１の所定の位置へ移動させ、２枚の止水パネル４ａ，４ｂどうしを連結し、更に、連結後の止水パネル４ａ，４ｂの両端部を係止溝５ａ，５ｂに係合させる。
【００２６】
この状態で、図４に示したハンドル１２を左回りに回転させると、第２のヒンジ１０が有する第１の羽板１０ａに対し、回転軸１０ｃが相対的に下降することになるので、該回転軸１０ｃに対して昇降が阻止された第２の羽板１０ｂは、回転軸１０ｃと共に下降する。よって、第２の羽板１０ｂと連結された止水パネル４ｂ（４ａも同様）は、下降して開口部１の床面と接触し、自重により、水密性部材１４（図２参照）と密着して固定される。
【００２７】
このように止水扉が設定された状態で、開口部１の外側から雨水が大量に流入した場合には、雨水の水圧により、止水パネル４ａ，４ｂの外側から内側に向けて強い力で押しつけられることになる。この際、連結された２枚の止水パネル４ａ，４ｂは、外側に突起するアーチ形状をなしているので、該止水パネル４ａ，４ｂに作用する力の分力が、側壁２ａ，２ｂを左右に広げる方向、即ち、図１に示す矢印Ｆ、Ｆ’に示す方向に作用することになる。
従って、止水パネル４ａ，４ｂは、係止溝５ａ，５ｂに堅固に固定されることになり、開口部１からの雨水の浸入を確実に阻止することができる。
【００２８】
また、異常増水が回避され、止水パネル４ａ，４ｂを収納するときには、ハンドル１２を右回りに回転させて各止水パネル４ａ，４ｂを床面より上昇させ、その後、連結部材３ａ，３ｂを折り畳んで各止水パネル４ａ，４ｂを各収納袋６ａ，６ｂ内に収納する。
【００２９】
このようにして、本実施形態に係る止水扉は、２枚の止水パネル４ａ，４ｂを有し、これらの止水パネル４ａ，４ｂは、連結部材３ａ，３ｂを介して開口部１の両端部の側壁２ａ，２ｂに連結されているので、作業者は、連結部材３ａ，３ｂを広げることにより、容易に止水パネル４ａ，４ｂを収納袋６ａ，６ｂから取り出して開口部１の所定位置に設置することができる。また、止水パネル４ａ，４ｂは、所定位置に設置した際に開口部１の外側に突起するアーチ形状をなすので、雨水による強い水圧が加えられた場合においても水密性が確保され、確実に雨水の浸入を防止することができる。
【００３０】
また、ハンドル１２、及び第２のヒンジ１０により、容易に止水パネル４ａ，４ｂを昇降させることができるので、設置作業、収納作業が極めて容易となり、作業者一人での止水パネル４ａ，４ｂの設置、収納が可能となる。また、止水パネル４ａ，４ｂを昇降させることができるので、例えば、開口部１の床面から該開口部１の内部へ雨水が浸入しつつある場合でも、この水面よりも高い位置まで止水パネル４ａ，４ｂを上昇させた後、該止水パネル４ａ，４ｂを移動させれば、水の流れに押されることなく容易に止水パネル４ａ，４ｂを開口部１の所定位置に設置することができる。
【００３１】
また、開口部１からの導入部分が地下鉄内へ侵入するための下り階段となっているような場合には、止水パネル４ａ，４ｂの表面に手摺り（図示省略）を取り付ける構成とすれば、下り階段に備えられる手摺りと連続させることができ、階段を昇降する際に極めて便利である。
【００３２】
なお、上記実施形態では、連結時にアーチ形状をなす２枚の止水パネル４ａ，４ｂを用いる例について説明したが、本発明は、これに限定されるものではなく、図７に示すように、平板形状の２枚の止水パネル１３ａ，１３ｂを、Ｖ字形状に連結して、水圧を押さえるように構成することも可能である。このような構成においても、前述した実施形態と同様の効果を得ることができる。
【００３３】
【発明の効果】
以上説明したように、本発明に係る止水扉では、開口部両端の側壁側に止水パネルを収納することができるので、収納性が良く、且つ、見栄えが良い。また、連結部材を広げることにより、容易に止水パネルを取り出して開口部の所定位置へ移動させることができ、また、ハンドルを操作することにより、止水パネルを上昇、或いは下降させることができるので、設置作業が極めて簡単となる。
また、２枚の止水パネルは、これらを連結した状態で、アーチ形状、或いはＶ字形状となるので、外部からの強い水圧に耐えることができる。
【図面の簡単な説明】
【図１】本発明の一実施形態に係る止水扉の平面図である。
【図２】本発明の一実施形態に係る止水扉の正面図である。
【図３】図１に示した止水扉の、Ａ−Ａ’矢視図である。
【図４】本発明の一実施形態に係る止水扉を、開口部の内側から見た斜視図である。
【図５】本発明の一実施形態に係る止水扉を、開口部の外側から見た斜視図である。
【図６】側壁に形成された収納袋内に、止水パネルを収納した様子を示す説明図である。
【図７】平板形状の２枚の止水パネルを、Ｖ字形状に連結して開口部に配置した様子を示す説明図である。
【符号の説明】
１  開口部
２ａ，２ｂ  側壁
３ａ，３ｂ  連結部材
４ａ，４ｂ  止水パネル
５ａ，５ｂ  係止溝
６ａ，６ｂ  収納袋
７  第１のアーム
８  第２のアーム
９  第１のヒンジ
１０  第２のヒンジ
１０ａ  第１の羽板
１０ｂ  第２の羽板
１０ｃ  回転軸
１０ｄ  ネジ部
１１  第３のヒンジ
１２  ハンドル
１３ａ，１３ｂ  止水パネル
１４  水密性部材
【図１】
0004523125.tif 000002
【図２】
0004523125.tif 000003
【図３】
0004523125.tif 000004
【図４】
0004523125.tif 000005
【図５】
0004523125.tif 000006
【図６】
0004523125.tif 000007
【図７】
0004523125.tif 000008